(57)【特許請求の範囲】
【請求項１】
回転駆動され帯電部で一様に帯電された感光体に、光書込部から画像データで変調した書込光を照射して静電潜像を形成し、当該静電潜像の形成され感光体上に現像部でトナーを供給して現像し、当該感光体上に形成されたトナー像を転写部で記録紙に転写してトナー画像を形成し、
前記光書込部が、
光源としての発光素子アレイと、当該発光素子アレイから出射された光を前記感光体上に結像させる光学手段と、が一体的に収納された画像形成装置であって、
前記感光体の軸方向と平行な軸心を有するととも所定の弾性を有し当該感光体表面に当接する弾性ローラ状部材と、
一端を装置本体に対して揺動可能に支持され前記光書込部を支持するとともに他端で前記弾性ローラ状部材に係合された支持部材と、
前記弾性ローラ状部材及び前記支持部材を前記感光体方向に弾性ローラ状部材表面のほぼ全巾が感光体に当接する所定圧力で付勢する付勢手段と、を備えたことを特徴とする画像形成装置。
【請求項２】
前記帯電部は、帯電ローラを有し、前記弾性ローラ状部材は、当該帯電ローラであることを特徴とする請求項１記載の画像形成装置。
【請求項３】
前記現像部は、現像ローラを有し、前記弾性ローラ状部材は、当該現像ローラであることを特徴とする請求項１記載の画像形成装置。
【請求項４】
前記発光素子アレイは、ＬＥＤアレイであることを特徴とする請求項１から請求項３のいずれかに記載の画像形成装置。
【発明の詳細な説明】
【０００１】
【発明の属する技術分野】
本発明は、画像形成装置に関し、詳細には、発光素子アレイを光源とする光書込部と感光体との位置出しを適正に行う画像形成装置に関する。
【０００２】
【従来の技術】
電子写真方式を利用した複写機、プリンタ及びファクシミリ装置等の画像形成装置においては、一様に帯電された感光体上に、光書込部で画像データにより変調された書込光を照射して、感光体上に静電潜像を形成し、この静電潜像の形成された感光体に現像部によりトナーを供給して感光体を現像する。画像形成装置は、この感光体上のトナー像を転写部で記録紙に転写した後、定着部で記録紙上に転写したトナー画像を加熱・加圧して定着させ、感光体表面に残留したトナーをクリーニング部でクリーニングブレードにより掻き取る等の方法により回収している。
【０００３】
そして、従来、光書込部は、光源としてレーザを出射するＬＤ（Laser Diode ）とポリゴンモータにより回転駆動するポリゴンミラーを用いたレーザビーム走査光学系を用いたもの、あるいは、光源として発光素子をアレイ状に配列した発光素子アレイ方式が一般に用いられている。
【０００４】
レーザ光ビーム走査方式では、比較的焦点深度に余裕があり、感光体との距離の位置出しは、さほどの高精度を要求されない。
【０００５】
ところが、発光素子アレイ方式では、一般に結像光学素子としてセルフォックレンズアレイが用いられており、このセルフォックレンズアレイの焦点距離が短いため、焦点深度が浅く、感光体との位置変動に対する余裕が少ない。
【０００６】
したがって、発光素子アレイ方式の光書込部では、感光体表面と光書込部の距離が少しでもずれると、光源の感光体表面への書込スポットがぼやけ、画像品質が悪化するという問題があった。また、画像形成の密度が６００ｄｐｉ、１２００ｄｐｉと高くなるほど、高精度な位置出しが要求される。
【０００７】
そこで、従来、光学像の照射により静電潜像が形成される円筒状のドラムと、該ドラムの回転軸方向に配列された発光素子アレイと、該発光素子アレイから発射された光を前記ドラム上に結像する光学手段と、前記光学手段を各々の相対向する辺部で狭持する、該辺と垂直方向に幅を有する第１及び第２の支持体と、前記第１及び第２の支持体の背面上に設けられた前記発光素子アレイを保持する手段と、該第１の支持体の他方の一辺を前記ドラムの回転軸と平行またはほぼ平行になるように支持する手段と、前記第２の支持体の前記ドラムの回転軸と平行またはほぼ平行な他方の一辺であって、前記ドラムの静電潜像形成領域外と対向する部分に取り付けられたトラッキングロールとを具備し、該トラッキングロールを前記ドラム表面と接触するようにしたことを特徴とする書込み用発光素子取付装置が提案されている（特許第２５７６４７４号公報参照）。
【０００８】
すなわち、この従来の書込み用発光素子取付装置は、具体的には、発光素子アレイを支持するフレームの片側を揺動可能な支点で支持し、他方側に、図６に示すように、感光体１００に両端で接する一対のガイドコロ１０１、１０２を設け、ガイドコロ１０１、１０２が感光体１００の両端の表面に接して回転することで、発光素子部と感光体１００の表面の距離を一定にしようとしている。
【０００９】
【発明が解決しようとする課題】
しかしながら、上記従来の書込み用発光素子取付装置は、感光体の回転軸芯に対して感光体の表面が偏芯しており、感光体が回転することで表面の位置が上下するような場合には、ガイドコロが追従して感光体表面と発光素子部とを一定の距離に維持することができる。ところが、上記従来の書込み用発光素子取付装置にあっては、図６に示したように、感光体１００の両端の表面にガイドコロ１０１、１０２を接して回転させて、感光体１００の両端を基準にして位置出しを行っているため、感光体１００の両端と中央部で径が異なり、図６に示すように、感光体１００の中央部が膨らんでいる場合、感光体１００の中央部が細っている場合及び両端と中央部で感光体１００の真円度が異なる場合には、中央部の形状の変化に追従することができず、感光体１００の表面と発光素子部との距離に変動が発生して、画像品質が悪化するという問題があった。
【００１０】
そこで、請求項１記載の発明は、光源としての発光素子アレイと当該発光素子アレイから出射された光を感光体上に結像させる光学手段とが一体的に収納された光書込部を支持部材で支持し、当該支持部材を感光体の軸方向と平行な軸心を有するとともに所定の弾性を有し感光体表面に当接する弾性ローラ状部材に係合させるとともに、弾性ローラ状部材及び支持部材を付勢手段で感光体方向に所定圧力で付勢することにより、弾性ローラ状部材で光書込部と感光体表面との位置出しを行って、感光体中央部の形状如何に関わらず、光書込部と感光体表面の距離を常に一定に維持し、画像品質を向上させることのできる画像形成装置を提供することを目的としている。
【００１１】
請求項２記載の発明は、弾性ローラ状部材として、帯電部の帯電ローラを用いることにより、弾性ローラ状部材を新たに追加することなく、帯電ローラを利用して、容易かつ安価に光書込部と感光体表面との位置出しを行って、感光体中央部の形状如何に関わらず、光書込部と感光体表面の距離を常に一定に維持し、画像品質を向上させることのできる安価な画像形成装置を提供することを目的としている。
【００１２】
請求項３記載の発明は、弾性ローラ状部材として、現像部の現像ローラを用いることにより、弾性ローラ状部材を新たに追加することなく、帯電ローラを利用して、容易かつ安価に光書込部と感光体表面との位置出しを行って、感光体中央部の形状如何に関わらず、光書込部と感光体表面の距離を常に一定に維持し、画像品質を向上させることのできる安価な画像形成装置を提供することを目的としている。
【００１３】
請求項４記載の発明は、光書込部の発光素子アレイとして、ＬＥＤ（Light Emitting Diode）アレイを用いることにより、小型で高光出力のＬＥＤアレイから書込光を出射させ、より一層画像品質が良好で小型の画像形成装置を提供することを目的としている。
【００１４】
【課題を解決するための手段】
請求項１記載の発明の画像形成装置は、回転駆動され帯電部で一様に帯電された感光体に、光書込部から画像データで変調した書込光を照射して静電潜像を形成し、当該静電潜像の形成され感光体上に現像部でトナーを供給して現像し、当該感光体上に形成されたトナー像を転写部で記録紙に転写してトナー画像を形成し、前記光書込部が、光源としての発光素子アレイと、当該発光素子アレイから出射された光を前記感光体上に結像させる光学手段と、が一体的に収納された画像形成装置であって、前記感光体の軸方向と平行な軸心を有するととも所定の弾性を有し当該感光体表面に当接する弾性ローラ状部材と、一端を装置本体に対して揺動可能に支持され前記光書込部を支持するとともに他端で前記弾性ローラ状部材に係合された支持部材と、前記弾性ローラ状部材及び前記支持部材を前記感光体方向に弾性ローラ状部材表面のほぼ全巾が感光体に当接する所定圧力で付勢する付勢手段と、を備えることにより、上記目的を達成している。
【００１５】
上記構成によれば、光源としての発光素子アレイと当該発光素子アレイから出射された光を感光体上に結像させる光学手段とが一体的に収納された光書込部を支持部材で支持し、当該支持部材を感光体の軸方向と平行な軸心を有するとともに所定の弾性を有し感光体表面に当接する弾性ローラ状部材に係合させるとともに、弾性ローラ状部材及び支持部材を付勢手段で感光体方向に所定圧力で付勢するので、弾性ローラ状部材で光書込部と感光体表面との位置出しを行って、感光体中央部の形状如何に関わらず、光書込部と感光体表面の距離を常に一定に維持することができ、画像品質を向上させることができる。
【００１６】
この場合、例えば、請求項２に記載するように、前記帯電部は、帯電ローラを有し、前記弾性ローラ状部材は、当該帯電ローラであってもよい。
【００１７】
上記構成によれば、弾性ローラ状部材として、帯電部の帯電ローラを用いているので、弾性ローラ状部材を新たに追加することなく、帯電ローラを利用して、容易かつ安価に光書込部と感光体表面との位置出しを行って、感光体中央部の形状如何に関わらず、光書込部と感光体表面の距離を常に一定に維持することができ、画像品質を安価に向上させることができる。
【００１８】
また、例えば、請求項３に記載するように、前記現像部は、現像ローラを有し、前記弾性ローラ状部材は、当該現像ローラであってもよい。
【００１９】
上記構成によれば、弾性ローラ状部材として、現像部の現像ローラを用いているので、弾性ローラ状部材を新たに追加することなく、帯電ローラを利用して、容易かつ安価に光書込部と感光体表面との位置出しを行って、感光体中央部の形状如何に関わらず、光書込部と感光体表面の距離を常に一定に維持することができ、画像品質を安価に向上させることができる。
【００２０】
さらに、例えば、請求項４に記載するように、前記発光素子アレイは、ＬＥＤアレイであってもよい。
【００２１】
上記構成によれば、光書込部の発光素子アレイとして、ＬＥＤアレイを用いているので、小型で高光出力のＬＥＤアレイから書込光を出射させることができ、より一層画像品質を向上させることができるとともに、小型化することができる。
【００２２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２３】
図１〜図４は、本発明の画像形成装置の第１の実施の形態を示す図であり、本実施の形態は、帯電ローラを用いてＬＥＤアレイ書込ユニットと感光体との位置出しを行うもので、請求項１、請求項２及び請求項４に対応するものである。
【００２４】
図１は、本発明の画像形成装置の第１の実施の形態を適用した画像形成装置１の要部拡大正面図である。
【００２５】
図１において、画像形成装置１は、感光体ドラム（感光体）２の周囲に、帯電ローラ（帯電部）３、ＬＥＤアレイ書込ユニット（光書込部）４、現像部５、転写部６及びクリーニング部７等が配設されており、感光体ドラム２は、図１において、時計方向に回転駆動される。
【００２６】
画像形成装置１は、回転駆動される感光体ドラム２表面に帯電ローラ３により一様な電荷を付与して帯電し、一様に帯電した感光体ドラム２に、ＬＥＤアレイ書込ユニット４から画像に応じた光照射を行って、感光体ドラム２上に静電潜像を形成する。画像形成装置１は、静電潜像を形成した感光体ドラム２を現像部５でトナーを供給して、感光体ドラム２表面にトナー像を形成し、コロナチャージャ方式の転写部６で感光体ドラム２と転写部６との間に搬送した記録紙８に感光体ドラム２表面からトナー画像を転写させる。
【００２７】
画像形成装置１は、トナー画像の転写された記録紙８を図示しない定着部に搬送して、定着部で記録紙８を加熱・加圧してトナー画像を記録紙８に定着させた後、廃止トレイ上に排出する。
【００２８】
また、画像形成装置１は、トナー像を記録紙８に転写した感光体ドラム２をクリーニング部７に搬送し、クリーニング部７のクリーニングブレード９で、感光体ドラム２上に残留しているトナーを除去して、感光体ドラム２をクリーニングした後、帯電ローラ３により帯電させて、再度、画像形成に供する。
【００２９】
上記現像部５は、現像容器１０内部に、金属の軸の周りにゴム状の弾性体の配された現像ローラ１１、スポンジローラ等で形成された補給ローラ１２及び規制ブレード１３等が配設されており、補給ローラ１２で現像ローラ１１の表面にトナーを供給して、現像ローラ１１の表面に付着したトナーを規制ブレード１３で均一な薄層にした後、感光体ドラム２にトナーを供給する。
【００３０】
また、帯電ローラ３（弾性ローラ状部材）は、金属の軸の周りにゴム状の弾性体を形成した弾性体ローラであり、所定の弾性を有している。
【００３１】
そして、上記ＬＥＤアレイ書込ユニット４は、ユニット筐体１４内に発光素子アレイとしてのＬＥＤアレイが収納されており、ユニット筐体１４の感光体２側の面に結像光学系としてセルフォックレンズアレイ１５が配設されている。なお、本実施の形態では、発光素子アレイとしてＬＥＤアレイを用いており、蛍光体ドットアレイ及び液晶シャッターと光源を用いるもの等を利用することもできるが、ＬＥＤアレイが小型でありかつ光出力が高い点で有利である。
【００３２】
ＬＥＤアレイ書込ユニット４は、ＬＥＤアレイから画像データで変調されて出射された書込光をセルフォックレンズアレイ１５で感光体２上に照射し、感光体２表面に静電潜像を形成する。
【００３３】
このＬＥＤアレイ書込ユニット４は、その長手方向両端部が一対の支持部材１６にネジ等で固定されて支持されており、支持部材１６は、その基端部が板バネ１７を介して画像形成装置１の本体フレーム１８等に固定され、その自由端部が帯電ローラ３の軸部３ａに支持されている。この支持部材１６は、図２に示すように、ＬＥＤアレイ書込ユニット４の長手方向両端部に一対配設されてＬＥＤアレイ書込ユニット４の長手方向両端部を支持し、それぞれの支持部材１６が板バネ１７を介して本体フレーム１８に固定されているとともに、帯電ローラ３の軸部３ａの両端に回転可能に取り付けられることで、帯電ローラ３の軸部３ａを回転可能に支持している。
【００３４】
また、支持部材１６は、それぞれ図１に示すスプリング（付勢手段）１９により感光体２方向に付勢され、スプリング１９は、その一端が本体フレーム１８に固定され、その他端部が支持部材１６の帯電ローラ３側の端部に取り付けられて、支持部材１６の帯電ローラ３側の端部を感光体２方向に所定の押圧力で付勢している。したがって、帯電ローラ３は、支持部材１６の帯電ローラ３側の端部がスプリング１９により感光体２方向に付勢されることで、常に感光体２に適当な加圧力で接触する。
【００３５】
すなわち、支持部材１６は、板バネ１７を介して本体フレーム１８に対して位置決めされて固定されることで、ＬＥＤアレイ書込ユニット４の位置決めを行うとともに、帯電ローラ３の軸部３ａの両端部を回転可能に支持して、スプリング１９により感光体２方向に付勢されて、帯電ローラ３が感光体２上を感光体２と接触して回転することで、感光体２とＬＥＤアレイ書込ユニット４との距離を一定に保っている。
【００３６】
次に、本実施の形態の作用を説明する。本実施の形態は、帯電ローラ３にＬＥＤ書込ユニット４を支持させることで、感光体２とＬＥＤアレイ書込ユニット４との距離を一定に保っているところにその特徴がある。
【００３７】
すなわち、画像形成装置１は、帯電ローラ３により一様に帯電された感光体２に画像データにより変調された書込光をＬＥＤアレイ書込ユニット４から照射して感光体２表面に静電潜像を形成し、静電潜像の形成された感光体に現像部５でトナーを供給してトナー像を形成する。このトナー像を形成した感光体２を転写部６で転写部６と感光体２の間に搬送されてきた記録紙８に転写し、図示しない定着部で記録紙８上のトナー画像を記録紙８に定着させる。また、転写の完了した感光体２をクリーニング部７でクリーニングして、帯電ローラ３で再度帯電させて、次の画像形成に供する。
【００３８】
そして、ＬＥＤアレイ書込ユニット４は、支持部材１６に固定されており、支持部材１６が、板バネ１７を介して本体フレーム１８に対して位置決めされて固定されることで、ＬＥＤアレイ書込ユニット４の位置決めを行うとともに、帯電ローラ３の軸部３ａの両端部を回転可能に支持して、スプリング１９により感光体２方向に付勢されている。そして、帯電ローラ３は、金属の軸の周りにゴム状の弾性体を形成した弾性体ローラであり、所定の弾性を有している。
【００３９】
したがって、所定の弾性を有する帯電ローラ３がスプリング１９の加圧力で感光体２に押しつけられつつ、感光体２上を感光体２と接触して回転することで、例えば、図３に示すように、感光体２がその中央部が膨らんでいる場合にも、また、図４に示すように、感光体２がその中央部が窪んでいる場合にも、感光体２の形状に合わせて追随し、これに合わせて支持部材１６が板バネ１７が微少に撓んで、ＬＥＤアレイ書込ユニット４が感光体２の形状に合わせて、位置移動して、感光体２とＬＥＤアレイ書込ユニット４との距離が一定に保持される。すなわち、図３に示すように、感光体２の中央部の径が端部よりも太い場合には、帯電ローラ３は、感光体２との接触部のうち、中央部が大きく圧縮変形し、端部がわずかに変形する状態となり、感光体２の幅方向（軸方向）の全域に対して適性な距離を保つことができる。また、図４に示すように、感光体２の中央部の径が端部よりも細い場合には、転写ローラ３は、感光体２との接触部のうち、両端部分が大きく圧縮変形し、中央部が僅かに変形して、感光体２の幅方向の全域に対して適性な距離を保つことができる。
【００４０】
その結果、結像光学素子として焦点距離の短いセルフォックレンズアレイ１５を用い、焦点深度が浅くて、感光体２との位置変動に対する余裕が少ない場合でも、ＬＥＤアレイ書込ユニット４と感光体２表面との距離を常に一定に保つことができ、画像品質を向上させることができる。
【００４１】
図５は、本発明の画像形成装置の第２の実施の形態を示す図であり、本実施の形態は、現像ローラを用いてＬＥＤアレイ書込ユニットと感光体との位置出しを行うもので、請求項３及び請求項４に対応するものである。
【００４２】
なお、本実施の形態は、上記第１の実施の形態の画像形成装置と同様の画像形成装置に適用したものであり、本実施の形態の説明において、上記第１の実施の形態の画像形成装置１と同様の構成部分には、同一の符号を付してその詳細な説明を省略する。
【００４３】
図５は、本発明の画像形成装置の第２の実施の形態を適用した画像形成装置２０の要部拡大正面図である。
【００４４】
図５において、画像形成装置２０は、上記第１の実施の形態の画像形成装置１と同様に、感光体ドラム２の周囲に、帯電ローラ３、ＬＥＤアレイ書込ユニット４、現像部５、転写部６及びクリーニング部７等が配設されており、感光体ドラム２は、図５において、時計方向に回転駆動される。
【００４５】
ＬＥＤアレイ書込ユニット４は、ＬＥＤアレイ書込ユニット４の長手方向両端部に配設された支持部材２１にその両端部がネジ等で固定されて支持されている。
【００４６】
支持部材２１は、その基端部が本体フレーム１８等に設けられたピン２２に、当該ピン２２を揺動中心として揺動可能に支持されており、その他端部である自由端部が弾性ローラ状部材としての現像ローラ１１の軸部１１ａの両端部に回動可能に係合されて支持されている。支持部材２１は、スプリング２３により感光体２方向に付勢され、スプリング２３は、その一端が本体フレーム１８に固定され、その他端部が支持部材２１の感光体２と反対側の面に取り付けられて、支持部材２１を感光体２方向に所定の押圧力で付勢している。したがって、現像ローラ１１は、支持部材２１がスプリング２３により感光体２方向に付勢されることで、常に感光体２に適当な加圧力で接触する。そして、現像ローラ１１は、上述のように、金属の軸の周りにゴム状の弾性体の配されており、所定の弾性を有している。
【００４７】
すなわち、支持部材２１は、ピン２２介して本体フレーム１８に対して位置決めされて固定されることで、ＬＥＤアレイ書込ユニット４の位置決めを行うとともに、現像ローラ１１の軸部１１ａの両端部に回転可能に係合して、スプリング２３により感光体２方向に付勢されて、現像ローラ１１が感光体２上を感光体２と接触して回転することで、感光体２とＬＥＤアレイ書込ユニット４との距離を一定に保っている。
【００４８】
したがって、所定の弾性を有する現像ローラ１１がスプリング２３の加圧力で感光体２に押しつけられつつ、感光体２上を感光体２と接触して回転することで、図３及び図４に示したように、感光体２がその中央部が膨らんでいる場合にも、また、感光体２がその中央部が窪んでいる場合にも、感光体２の形状に合わせて追随し、これに合わせて支持部材２１がピン２２を中心として微少に揺動して、ＬＥＤアレイ書込ユニット４が感光体２の形状に合わせて、位置移動して、感光体２とＬＥＤアレイ書込ユニット４との距離が一定に保持される。
【００４９】
その結果、結像光学素子として焦点距離の短いセルフォックレンズアレイ１５を用い、焦点深度が浅くて、感光体２との位置変動に対する余裕が少ない場合でも、ＬＥＤアレイ書込ユニット４と感光体２表面との距離を常に一定に保ち、画像品質を向上させることができる。
【００５０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５１】
例えば、上記実施の形態においては、ＬＥＤアレイ書込ユニット４の位置出し用ローラとして、転写ローラ３あるいは現像ローラ１１を利用しているが、これらに限るものではなく、例えば、新たに弾性ローラ状部材を配設してもよい。
【００５２】
【発明の効果】
請求項１記載の発明の画像形成装置によれば、光源としての発光素子アレイと当該発光素子アレイから出射された光を感光体上に結像させる光学手段とが一体的に収納された光書込部を支持部材で支持し、当該支持部材を感光体の軸方向と平行な軸心を有するとともに所定の弾性を有し感光体表面に当接する弾性ローラ状部材に係合させるとともに、弾性ローラ状部材及び支持部材を付勢手段で感光体方向に所定圧力で付勢するので、弾性ローラ状部材で光書込部と感光体表面との位置出しを行って、感光体中央部の形状如何に関わらず、光書込部と感光体表面の距離を常に一定に維持することができ、画像品質を向上させることができる。
【００５３】
請求項２記載の発明の画像形成装置によれば、弾性ローラ状部材として、帯電部の帯電ローラを用いているので、弾性ローラ状部材を新たに追加することなく、帯電ローラを利用して、容易かつ安価に光書込部と感光体表面との位置出しを行って、感光体中央部の形状如何に関わらず、光書込部と感光体表面の距離を常に一定に維持することができ、画像品質を安価に向上させることができる。
【００５４】
請求項３記載の発明の画像形成装置によれば、弾性ローラ状部材として、現像部の現像ローラを用いているので、弾性ローラ状部材を新たに追加することなく、帯電ローラを利用して、容易かつ安価に光書込部と感光体表面との位置出しを行って、感光体中央部の形状如何に関わらず、光書込部と感光体表面の距離を常に一定に維持することができ、画像品質を安価に向上させることができる。
【００５５】
請求項４記載の発明の画像形成装置によれば、光書込部の発光素子アレイとして、ＬＥＤアレイを用いているので、小型で高光出力のＬＥＤアレイから書込光を出射させることができ、より一層画像品質を向上させることができるとともに、小型化することができる。
【図面の簡単な説明】
【図１】本発明の画像形成装置の第１の実施の形態を適用した画像形成装置の要部概略構成図。
【図２】図１のＬＥＤアレイ書込ユニット及び支持部材部分の平面図。
【図３】図１の感光体の中央部が膨らんでいる場合の帯電ローラと感光体との接触状態を示す正面図。
【図４】図１の感光体の中央部が窪んでいる場合の帯電ローラと感光体との接触状態を示す正面図。
【図５】本発明の画像形成装置の第２の実施の形態を適用した画像形成装置の要部概略構成図。
【図６】従来の感光体の位置出し方法を示す感光体部分の正面図。
【符号の説明】
１  画像形成装置                ２  感光体ドラム
３  帯電ローラ                  ３ａ  軸部
４  ＬＥＤアレイ書込ユニット    ５  現像部
６  転写部                      ７  クリーニング部
８  記録紙                      ９  クリーニングブレード
１０  現像容器                  １１  現像ローラ
１１ａ  軸部                    １２  補給ローラ
１３  規制ブレード              １４  ユニット筐体
１５  セルフォックレンズアレイ  １６  支持部材
１７  板バネ                    １８  本体フレーム
２０  画像形成装置              ２１  支持部材
２２  ピン                      ２３  スプリング
【図１】
0004166919.tif 000002
【図２】
0004166919.tif 000003
【図３】
0004166919.tif 000004
【図４】
0004166919.tif 000005
【図５】
0004166919.tif 000006
【図６】
0004166919.tif 000007